(57)【要約】【課題】            理美容椅子の背凭れを寝かす際また起こす際の背凭れの傾動動作を止める時に、被施術者に対して負荷の掛からないゆるやかな係止状態を提供し、また背凭れの寝起こしを補助するためのバネを複雑また煩雑にならないようコンパクトに収容するようにする。【解決手段】        シリンダ８の基部が背凭れ基板５に軸支され、前記シリンダ８に対して前後方向に摺動自在に設けられるラム９の先端部が座部基板４に支持されるガスシリンダを構成し、かつリンク１２により、ラム９の先端に設けられるロックピン１１を押圧また離脱させるように構成し、前記シリンダ８の突端側と該ラム９の先端部側とにガイド杆８ｂおよび９ｂとを設け、前記ガイド杆８ｂおよび９ｂに対して摺動自在にバネ１０を設け、該バネ１０がシリンダ８の中心軸線と平行して伸縮するようにして背凭れの伏倒動作または停止動作を軽減かつ背凭れ基板の起立動作を補助するようにした。【選択図】          図２
0003159844.tif 000002
【実用新案登録請求の範囲】
【請求項１】
座部に対して背凭れが傾動自在に設けられる理美容椅子において、シリンダ基部が背凭れ基板に軸支され、前記シリンダに対して前後方向に摺動自在に設けられるラムの先端部が座部基板に支持されるガスシリンダと、前記ラム先端に設けられるロックピンと、ラム先端側に軸支されかつ前記ロックピンを押圧また離脱させるリンクと、該ラム先端部側と前記シリンダ突端側に設けられるガイド杆と、前記ガイド杆に対して摺動自在に設けられるバネと、該バネがシリンダ中心軸線と平行して伸縮することにより背凭れ基板の伏倒動作または停止動作を軽減かつ背凭れ基板の起立動作を補助することを特徴とする理美容椅子における背凭れ寝起こし装置。
【請求項２】
座部に対して背凭れが傾動自在に設けられる理美容椅子において、シリンダ基部が背凭れ基板に軸支され、前記シリンダ部に対して前後方向に摺動自在に設けられるラムの先端部が座部基板に支持されるガスシリンダと、前記ラム先端に設けられるロックピンと、ラム先端側に軸支されかつ前記ロックピンを押圧また離脱させるリンクと、シリンダ基部側内部に設けられ、シリンダ内を摺動自在に設けられるバネと、該バネがシリンダ内のラム底部に設けられる押圧板によりシリンダ中心軸線と平行して伸縮することにより背凭れ基板の伏倒動作または停止動作を軽減かつ背凭れ基板の起立動作を補助することを特徴とする理美容椅子における背凭れ寝起こし装置。
【請求項３】
前記リンクは、前記座部基板に回動自在に取り付けられた操作レバーの回動によって回動して、前記ロックピンを押圧してガスシリンダのロックを解除またロックピンに離脱させてロックさせることを特徴とする請求項１または２に記載の理美容椅子における背凭れ寝起こし装置。
【考案の詳細な説明】
【技術分野】
【０００１】
本考案は、理美容院等で使用する理美容椅子における背凭れの寝起こし装置に関する。
【背景技術】
【０００２】
理美容院において使用する理美容椅子は、仰向けの状態で洗髪を行なったりまたマッサージやリラクゼーションのために座部に対して背凭れを傾動させて使用しており、この背凭れの傾動動作においては、座部の昇降動作と連動させて背凭れを傾動させているものや座部の下面に設けられる油圧シリンダやガスシリンダなどで背凭れを傾動させているものが多くある。
特にガスシリンダを使用する背凭れ傾動装置にあっては実用新案登録第３１５６１３５号がある。
【０００３】
実用新案登録第３１５６１３５号の考案は、背凭れの起伏は座部の両側面に配置された肘掛けの側面より突出して取付けられている回転摘みを回転することでガスシリンダが制御され、該ガスシリンダの伸長、収縮によって行うことで背凭れの寝起こしを行なっている。
背凭れの寝起こしの構造としては、実用新案登録第３１５６１３５号の公報によれば、座部基板１１にピストン側が軸支され、シリンダ側は下部背凭れ４１の背凭れ基板４１ａに取付けられた固定板４１ｂに軸支されるガスシリンダが設けられている。
【０００４】
また前記固定板４１ａは座部基板１１に対して回転自在に軸支されており、座部基板１１に対して回動自在に取付けられた回転軸８２により肘掛け３の側面より突出した回転摘み８３を回転させることにより回転軸が回転するようになっている。
回転軸８２にはアーム８２ａの一端が固定されており、該アーム８２ａの先端にはリンク８４が軸支されており、前記座部基板１１には回転自在にガスシリンダ８１内のガスを膨張させるための突起８１ａを操作する突起操作板８４が軸支され、該突起操作板８４の他端と前記アーム８２ａの先端とは連結リンク８５によって連結されている。
【０００５】
このように構成した背凭れ起伏装置８の動作は、背凭れ４が起立状態において着座者が背凭れ４に寄り掛かり、肘掛け３から突出している回転摘み８３を反時計方向に回転すると、回転軸８２が同じく反時計方向に回転され、この回転軸８２の回転に伴ってアーム８２ａが反時計方向に回転するので、連結リンク８５を介して突起操作板８４がガスシリンダ８１の突起８１ａを押すので、背凭れ４は着座者の寄り掛かった重さによってガスシリンダ８１のピストンを収縮方向に移動させてガスを圧縮しながら緩やかに伏倒される。
【０００６】
また背凭れが伏倒された状態で回転摘み８３から手を離すと、該回転摘み８３はガスシリンダ８１の突起８１ａの戻り力によって逆回転して元の回転位置に戻る。そして、ピストンが終端でシリンダ内に収納された状態において背凭れ４の伏倒は停止するように構成され、被施術者は安楽な状態で施術を受けられるようにしていることが開示されている。
【０００７】
【特許文献１】実用新案登録第３１５６１３５号
【考案の開示】
【考案が解決しようとする課題】
【０００８】
ところで、前記実用新案登録第３１５６１３５号の公報にあっては、背凭れを起立また伏倒させる際に、前記回転摘みを回転させて、ロックピンである突起８ａを押してガスシリンダの伸縮をフリー状態にして背凭れを適宜位置まで回転させ、適宜位置で止めたい場合は、前記回転摘みを放すと、前記ガスシリンダの突起８１ａが戻り、ガスシリンターがロックされ背凭れは停止するようになっている。
【０００９】
次に背凭れを元の位置すなわち起立状態にする時は、前記回転摘みを回転させて、ロックピンである突起８ａを押してガスシリンダの伸縮をフリー状態にして背凭れを前方へ回転させ、起立状態までくるとピストンがシリンダ内で係止して背凭れは停止するようになっている。さらに回転摘みを放すとロックピンが戻りピストンはロックされ背凭れは傾動しなくなる。
【００１０】
このようにガスシリンダを使用した背凭れの傾動動作において、ガスシリンダのロックピンによりロックまたはロック解除を行なうが、ガスシリンダをロックする際に背凭れが急に止まり、特に背凭れを寝かす際には、被施術者の加重があるため、さらに負荷がかかるため、被施術者に対して負荷を生じないまた不安を与えないような背凭れの傾動動作が望まれていた。
【００１１】
また公報には記載されていないが、背凭れを寝起こす際に被施術者に負荷または負担を掛けないように、ガスシリンダのみの動作であれば、背凭れの起きる速度や寝る速度が速くなったり、背凭れの傾動を停止する場合にショックがあり、これら背凭れの傾動速度を軽減また背凭れ停止時のショックを軽減する手段として、背凭れを起こしたり寝かしたりするための補助バネが座部の下面に設けられるガスシリンダの一側もしくは両側に設けられているものがあるが、この場合であると、座部下面が煩雑となったり、部品点数も増えることとなる。
【００１２】
以上のことから、本考案は前記した課題を解決せんとするもので、その目的とするところは、理美容院で使用する背凭れが傾動動作させる理美容椅子にあっては、背凭れを寝かす際また起こす際の背凭れを傾動動作を止める時に、被施術者または施術者に対して負荷の掛からないゆるやかな係止状態を提供し、また背凭れの寝起こしを補助するためのバネを複雑また煩雑にならないようコンパクトにすることを目的とする理美容椅子の背凭れ寝起こし装置を提供せんとするにある。
【課題を解決するための手段】
【００１３】
本考案の理美容椅子の背凭れ寝起こし装置は、前記目的を達成せんとするもので、請求項１の手段は、座部に対して背凭れが傾動自在に設けられる理美容椅子において、シリンダ基部が背凭れ基板に軸支され、前記シリンダに対して前後方向に摺動自在に設けられるラムの先端部が座部基板に支持されるガスシリンダと、前記ラム先端に設けられるロックピンと、ラム先端側に軸支されかつ前記ロックピンを押圧また離脱させるリンクと、該ラム先端部側と前記シリンダ突端側に設けられるガイドと、前記ガイド部に対して摺動自在に設けられるバネと、該バネがシリンダ中心軸線と平行して伸縮することにより背凭れ基板の伏倒動作または停止動作を軽減かつ背凭れ基板の起立動作を補助することを特徴とする。
【００１４】
請求項２の手段は、座部に対して背凭れが傾動自在に設けられる理美容椅子において、シリンダ基部が背凭れ基板に軸支され、前記シリンダ部に対して前後方向に摺動自在に設けられるラムの先端部が座部基板に支持されるガスシリンダと、前記ラム先端に設けられるロックピンと、ラム先端側に軸支されかつ前記ロックピンを押圧また離脱させるリンクと、シリンダ基部側内部に設けられ、シリンダ内を摺動自在に設けられるバネと、該バネがシリンダ内のラム底部に設けられる押圧板によりシリンダ中心軸線と平行して伸縮することにより背凭れの伏倒動作または停止動作を軽減かつ背凭れ基板の起立動作を補助することを特徴とする。
【００１５】
請求項３の手段は、請求項１または２において、前記リンクは、前記座部基板に回動自在に取り付けられた操作レバーの回動によって回動して、前記ロックピンを押圧してガスシリンダのロックを解除またロックピンに離脱させてロックさせることを特徴とする。
【考案の効果】
【００１６】
本考案の理美容椅子の背凭れ寝起こし装置は、背凭れの伏倒動作または停止動作を従来のガスシリンダのみの動作ではなく、シリンダの中心軸線上で摺動するバネを設けているため、背凭れの伏倒動作または適宜位置での停止動作でショックを与えることなく、被施術者に対して安楽に施術などを行なってもらうことができる。
また前記バネはガスシリンダの中心軸線上に設けられているため、ガスシリンダの動作方向に負荷が掛かることがなくスムースにガスシリンダを動作させることができる。
【００１７】
さらにはバネがガスシリンダの中心軸線上に設けられているため、理美容椅子などの座部の下面部の限られたスペースに取り付けることができ、嵩張ることもなくコンパクトに取り付けられるようになっている。
またガスシリンダ内にバネが設けられているものにあってはさらにコンパクトに構成することができ、美観を損なうこともない。
【実施例１】
【００１８】
以下、本考案に係る理美容椅子の背凭れ寝起こし装置の第１の実施例を図１〜図４とともに説明する。
図１は本考案に係る背凭れが起立した状態を示す斜視図、図２は本考案に係る背凭れが起立した状態の傾動機構部を示す断面図、図３は本考案に係る背凭れが寝た状態を示す斜視図、図４は本考案に係る背凭れが寝た状態の傾動機構部を示す断面図である。
【００１９】
１は後述する座部基板４を昇降させるための昇降機構が内蔵される昇降ポンプであり、１ａは前記昇降ポンプを支持するためのベースである。
２は後述する座部基板４を昇降させるための昇降用ペダルであり、３は座部基板４が取り付けられる昇降用ラムである。
４は座部基板、４ａは座部基板４に設けられる背凭れ取付基板、４ｂは後述するガスシリンダのラム先端部が軸支されるブラケットである。
【００２０】
５は背凭れ基板、６は背凭れ基板の回動軸であり、７は後述するガスシリンダ８が軸支される背凭れ基板作動軸である。
前記背凭れ基板５は前記座部基板４に設けられる背凭れ取付基板４ａに背凭れ基板５の回動軸６により軸支され傾動動作を行なうようになっている。
８はガスシリンダを構成するシリンダ、８ａはシリンダ基部で、背凭れ基板作動軸７で背凭れ基板５とに軸支され、背凭れ基板５を起立また伏倒させるように構成されている。
８ｂは該シリンダ８の前方突端側に設けられるガイド杆であり、８ｃはガイド杆８ｂのシリンダ８本体側に設けられる突起杆である。
【００２１】
９はシリンダ８に対して摺動自在に設けられるラムであり、９ａはラム９の先端部に設けられるブラケットであり、該ラム９は後述するピン１９によって回動自在に設けられている。
９ｂはラム９の先端部に設けられるガイド杆であり、９ｃはガイド杆９ｂに設けられる突起杆である。
１０はバネであり前記シリンダ８側に設けられるガイド杆８ｂとラム側ガイド杆９ｂに設けられ、突起杆９cに係止されており、該バネ１０はシリンダ８先端部とガイド杆８ｂに設けられる突起杆９ｃとの間で伸縮するように設けられている。
【００２２】
１１はガスシリンダを伸縮させるためのエアーをシリンダ８内に導入したり、エアーの導入を阻止するためのロックピンである。
１２は前記ロックピン１１を押圧するためのリンクであり、１３はブラケット９ａに設けられるリンク１２の回転軸である。
１４は回転軸、１５はリンク、１６は回転軸であり、１７は操作レバーであり、１７aは操作レバー１７に設けられる回動板である。
また１９は前記したように、ラム９が軸支されるピンであり、ガスシリンダはシリンダ８とラム９の伸縮動作によってピン１９で回動自在になっている。
【００２３】
１８は前記した昇降用ラム３に取り付けられる座部基板取付ブラケットである。
以上のことより、ガスシリンダを伸長動作または収縮動作させる場合は、ロックピン１１を押圧することによりエアーをシリンダ８内に導入し、前記操作レバー１７を放すことよりガスシリンダのエアー導入が封止(ロック)され、伸長動作または収縮動作が停止するようになっている。
【００２４】
ガスシリンダを動作させる場合の説明をすると、前記操作レバー１７を前方向に回動させると回動板１７ａが反時計方向に回動する。
これによりリンク１５が後方側に引っ張られて回動すると、回転軸１４で軸支されているリンク１２が前記ロックピン１１を押し、ガスシリンダのロックは解除され、該ガスシリンダはフリーの状態となる。
【００２５】
またガスシリンダの伸縮を止める場合は、前記操作レバー１７を放すことによってガスシリンダがロックされて伸縮しない状態となる。
以上の構成から、背凭れの動作を説明する。通常は背凭れ基板５が起立した状態、この場合はガスシリンダが伸長した状態で、背凭れ基板５を寝かす場合の動作を説明すると、操作レバー１７を反時計方向に回動させると、前記した如くガスシリンダはフリーとなり、被施術者の荷重によって背凭れ５は寝る方向に動作する。
この場合、ラム９はシリンダ８内に嵌挿され、収縮し、前記バネ１０は背凭れ基板５が起立する方向に付勢されている。
【００２６】
次に背凭れ基板５を適宜位置または終端で止めたい時は、前記操作レバー７を放すことによって前記ガスシリンダの収縮は止まり背凭れ基板５は停止する。
背凭れ基板５が終端まで寝る間に前記バネ１０が押圧されラム９は前記バネ１０によって収縮する速度が緩和されるようになっている。
これにより、背凭れ基板５の終端近傍での背凭れ基板５のゆっくりとした伏倒状態が得られ、ガスシリンダをロックさせた際もショックのない伏倒動作が実現できる。
また背凭れ基板５が寝た状態から起立させる際において、被施術者の荷重が背凭れ基板５に掛かっている状態であっても、該バネ１０により背凭れ基板５が起立する方向に付勢されているため施術者はあまり力を必要とせずに背凭れを起こすことができ、施術者に対して負担を強いることはない。
【実施例２】
【００２７】
次に第２の実施例について図５および図６とともに説明する。
図５は第２の実施例の背凭れが起立した状態の傾動機構部を示す断面図であり、図６は第２の実施例の背凭れが寝た状態の傾動機構部を示す断面図である。
図５、図６に示す構造は前記した図２、図４の構造と多少異なるが原理的には同じ構造であるため、図２、図４と部材は同じ符号で示し説明は省略する。
【００２８】
実施例１と同様に、シリンダ８の基部が背凭れ基板５に軸支されており、前記シリンダ８に対して前後方向に摺動自在に設けられ、座部基板４に支持されるラム９によりガスシリンダが構成され、前記ラム９の先端にはロックピン１１が設けられ、ラム９の先端側に軸支されかつ前記ロックピン１１を押圧また離脱させるリンク１２が設けられている。
シリンダ８の基部側内部にはシリンダ８内を摺動自在に設けられるバネ１０が設けられており、該バネ１０がシリンダ８内のラム底部に設けられる押圧板９ｄによりシリンダ８の中心軸線と平行して伸縮するようになっている。
【００２９】
以上の構成により、背凭れ基板５の動作を説明すると、実施例１と同様に、背凭れ基板５が起立した状態、この場合はガスシリンダが伸長した状態で背凭れ基板５を寝かす場合の動作を説明すると、操作レバー１７を反時計方向に回動させると、前記した如くガスシリンダは伸長および収縮がフリーとなり、被施術者の荷重によって背凭れ基板５は寝る方向に動作する。
この場合、ラム９はシリンダ８内に嵌挿され、収縮する。
【００３０】
次に背凭れ基板５を適宜位置または終端で止めたい時は、前記操作レバー１７を放すことによって前記ガスシリンダの収縮は止まり背凭れ基板５は停止する。
背凭れ基板５が終端まで寝る間に前記バネ１０が、ラム９底部に設けられる押圧板９ｄによって押圧され、ラム９はシリンダ８内に設けられるバネ１０によって収縮する速度が緩和されるようになっている。
【００３１】
これにより、終端近傍での背凭れ基板５のゆっくりとした伏倒状態が得られ、ガスシリンダをロックさせた際もショックのない伏倒動作が実現できる。
背凭れ基板５が寝た状態から起立させる際において、被施術者の荷重が背凭れ基板５に掛かっている状態であっても、該バネ１０により背凭れ基板５が起立する方向に付勢されているため施術者はあまり力を必要とせずに背凭れを起こすことができ、施術者に対して負担を強いることはない。
【００３２】
従って、前記したように、ガスシリンダの中心軸線上にバネ１０を設けることによって背凭れの伏倒動作または停止動作のショックを軽減また背凭れ基板５が寝た状態から起立させる際においても、施術者はあまり力を必要とせずに背凭れを起こすことができ、施術者に対して負担を強いることはない。
また前記したようにバネ１０がガスシリンダ内の中心軸線上に設けられているため、座部下面部に取付けスペースを取ることもなく、嵩張らずにコンパクトに仕上げることができる。
【図面の簡単な説明】
【００３３】
【図１】本考案に係る背凭れが起立した状態を示す斜視図である。
【図２】本考案に係る背凭れが起立した状態の傾動機構部を示す断面図である。
【図３】本考案に係る背凭れが寝た状態を示す斜視図である。
【図４】本本考案に係る背凭れが寝た状態の傾動機構部を示す断面図である。
【図５】第２の実施例の背凭れが起立した状態の傾動機構部を示す断面図である。
【図６】第２の実施例の背凭れが寝た状態の傾動機構部を示す断面図である。
【符号の説明】
【００３４】
１          昇降ポンプ
１ａ        ベース
２          昇降用ペダル
３          昇降用ラム
４          座部基板
４ａ        背凭れ取付基板
４ｂ        ブラケット
５          背凭れ基板
６          回動軸
７          背凭れ作動軸
８          シリンダ
８ａ        シリンダ基部
８ｂ        ガイド杆
８ｃ        突起杆
９          ラム
９ａ        ブラケット
９ｂ        ガイド杆
９ｃ        突起杆
９ｄ        押圧板
１０        バネ
１１        ロックピン
１２        リンク
１３、１４  回転軸
１５        リンク
１６        回転軸
１７        操作レバー
【図１】
0003159844.tif 000003
【図２】
0003159844.tif 000004
【図３】
0003159844.tif 000005
【図４】
0003159844.tif 000006
【図５】
0003159844.tif 000007
【図６】
0003159844.tif 000008